(57)【要約】【課題】簡単な構成でスペアタイヤを格納することができ、かつその脱着動作が確実容易であり、しかもスペアタイヤの脱着動作があった後の復帰がなされたことの確認を確実に行うことができるようになったスペアタイヤ格納構造を提供する。【解決手段】上部および下部支持板との間には、コイルスプリング５０が伸縮自在に配置されている。図９に示すようにウインチ装置３が巻き上げられると、保持体３７に係合したスペアタイヤ２がワイヤ４に引きずられてベースプレート３３の開口部３３ａの方に引き寄せられる。そして、その後ワイヤ４が巻き上げられると上部支持板４８が当接し、さらにワイヤ４の巻き上げが進むと、コイルスプリング５０が収縮してバネ力によってスペアタイヤ２のホイールの下側が上方に押し上げられてスペアタイヤ２は弾性的にベースプレート３３との間に保持されて、格納される。【選択図】図５
2008213838.tif 000002
【特許請求の範囲】
【請求項１】
車両のホイールベース間のフロア下面側にスペアタイヤを略水平状態に保持するスペアタイヤ格納構造において、
車両の側部から取り出し可能なように前記フロア下面側に設けられた所定の格納位置に、前記スペアタイヤを係合可能に保持する保持部（37）に結合された巻き上げワイヤを巻き取ることによって前記スペアタイヤを懸架状態で保持する格納手段と、
スペアタイヤの格納される前記車体の側に取り付けられるサイドドアとを備え、スペアタイヤは、車両横方向の一方側においてサイドドア近傍に格納されるとともに、
前記格納手段は、巻き上げ用回転軸（40）を有し、
ハンドルにより巻き上げ用回転軸を回動操作することで、前記巻き上げワイヤの伸長を調整可能してスペアタイヤの自重に抗して該スペアタイヤを巻き上げるウインチ装置を備え、
該ウインチ装置は、前記サイドドア近傍で、車室内からのハンドルによる巻き上げ用回転軸の回動操作が可能となるように、該ウインチ装置の巻き上げ用回転軸が上下方向に延設し、該ウインチ装置の上端がフロアパネルのサイドドア近傍に位置して、スペアタイヤの脱着動作が車室内から可能になっているとともに
前記フロアパネルには、前側シート（27）と、後側シート（28）が設けられており、前記ウインチ装置をハンドルにより操作する際は、該前側シートと後側シートとの間で、該操作を行うための作業空間を確保すべく、それぞれ前後方向にスライド移動可能に構成されることを特徴とするスペアタイヤ格納構造。
【請求項２】
請求項１において、スペアタイヤより車両横方向の他方側には、エンジンから後方に延びる排気管が設けられるとともに、ウインチ装置は、排気管よりも車両横方向のサイドドア側に設置されることを特徴とするスペアタイヤの格納構造。
【請求項３】
請求項１において、スペアタイヤより車両横方向の他方側には、燃料タンクが設けられるとともに、ウインチ装置は、燃料タンクよりも車両横方向のサイドドア側に設置されることを特徴とするスペアタイヤ格納構造。
【請求項４】
請求項１において、前記ウインチ装置から前記保持部に向かって延びるワイヤは、該ウインチ装置から略水平に沿って延びるとともに、平面視で該ウインチ装置から離間した位置で保持部に向かって垂下することを特徴とするスペアタイヤの格納構造。
【請求項５】
請求項１において、前記フロアパネルの前記サイドドア側には前後方向に延設するサイドフレームが設けられており、スペアタイヤはその一部がサイドフレームより車両横方向において車外側に位置するように保持されることを特徴とするスペアタイヤの格納構造。
【請求項６】
請求項１において、前記フロアパネルの前記サイドドア側には前後方向に延設するサイドフレームが設けられており、ウインチ装置は、サイドフレームより車両横方向内側に位置するように設置されることを特徴とするスペアタイヤの格納構造。
【請求項７】
請求項１において、前記スペアタイヤは車体の横方向に関し運転席が配置される側の側面から取り出し可能に格納されるようになっていることを特徴とするスペアタイヤの格納構造。
【請求項８】
請求項１において、前記ワイヤの長さと前記スペアタイヤ格納位置が、前記ワイヤの最大延長状態において前記車両の側部からスペアタイヤの先端が突出する状態となる一方、前記ワイヤの先端部分が解放状態で後輪のドライブシャフトと干渉することがない関係に設定されていることを特徴とするスペアタイヤの格納構造。
【請求項９】
請求項１において、前記スペアタイヤがテンポラリサイズであることを特徴とするスペアタイヤの格納構造。
【請求項１０】
請求項１において、車両横方向に関し前記スペアタイヤは格納位置は燃料タンクに並んで配置されており、該燃料タンクとスペアタイヤとの間には車体前後方向に延びる遮蔽部材が配置されていることを特徴とするスペアタイヤの格納構造。
【請求項１１】
請求項１において、前記遮蔽部材はエンジンから後方にのびる排気管であり、前記排気管は、水平方向にみてスペアタイヤおよび燃料タンクとオーバーラップする位置関係で両者の間を前後方向に延びていることを特徴とするスペアタイヤの格納構造。
【請求項１２】
請求項１において、車体横方向に関し格納されたスペアタイヤと並んで前記フロア下面側に燃料タンクが配置され、該燃料タンクの後端は、前記格納状態にあるスペアタイヤの後端とほぼ一致していることを特徴とするスペアタイヤの格納構造。
【請求項１３】
請求項１において、前記巻き上げワイヤは、その最大伸張状態でスペアタイヤが後方に最大限移動した場合であっても後輪あるいは後輪用ディファレンシャルに干渉することがない長さに設定されていることを特徴とするスペアタイヤの格納構造。
【請求項１４】
請求項１において、前記ウインチ装置は、平面視で上記保持部より離間した位置に配置されることを特徴とするスペアタイヤの格納構造。
【請求項１５】
請求項１において、前記ウインチ装置による巻き上げ動作は、ハンドルを前記ウインチ装置に係合させて行うとともに、ハンドルと前記ウインチ装置との係合はスペアタイヤの巻き上げが完了しないかぎりできないように構成されることを特徴とするスペアタイヤの格納構造。
【発明の詳細な説明】
【技術分野】
【０００１】
本発明は、スペアタイヤを車両のホイールベース間のフロアの下側に格納する構造に関する。
【背景技術】
【０００２】
スペアタイヤを車両後部ではなくホイールベース間に格納するようにしたものは公知である。
例えば、実開昭５５−７８５７１に車両のホイールベース間のフロア下部にスペアタイヤを支持する構造が開示されている。
この開示された構造では、スペアタイヤキャリアの一端を車体の下側に上下方向に回動自在に支持し、このスペアタイヤキャリアにスペアタイヤを載置した状態で他端側を上方に回動させてほぼ水平状態となった位置で車体下部に固定することによってスペアタイヤを格納するようになっている。
このスペアタイヤ格納構造では、スペアタイヤを使用する際には、上記スペアタイヤキャリアと車体との上記他端側の車体との結合を解除し、スペアタイヤキャリアの他端側を下方に回動させる地面に当接させる。
【０００３】
これによってスペアタイヤの上方側空間を解放し、斜め状態でキャリアに収容されているスペアタイヤを取り出すようになっている。
【発明の開示】
【発明が解決しようとする課題】
【０００４】
しかし、上記実開昭５５−７８５７１に開示される構造においては、スペアタイヤをスペアタイヤキャリアから取り出した後スペアタイヤを復帰する作業を忘れたような場合には、スペアタイヤキャリアが復帰していないことを確認することができず、正常な走行ができなくなる恐れがある。また、スペアタイヤキャリアを損傷したり、あるいは他の部品と干渉してこれらの作動に支障を来すおそれがある。
【課題を解決するための手段】
【０００５】
本発明はこのような事情に鑑みて構成されたもので、簡単な構成でスペアタイヤを格納することができ、かつその脱着動作が確実容易であり、しかもスペアタイヤの脱着動作があった後の復帰がなされたことの確認を確実に行うことができるようになったスペアタイヤ格納構造を提供することを目的とするものである。
この本発明の目的は、以下の本発明の特徴によって達成することができる。
本発明の１つの特徴によれば、車両のホイールベース間のフロア下面側にスペアタイヤを略水平状態に保持するスペアタイヤ格納構造において、
車両の側部から取り出し可能なように前記フロア下面側に設けられた所定の格納位置に、前記スペアタイヤを係合可能に保持する保持部（37）に結合された巻き上げワイヤを巻き取ることによって前記スペアタイヤを懸架状態で保持する格納手段と、  
スペアタイヤの格納される前記車体の側に取り付けられるサイドドアとを備え、スペアタイヤは、車両横方向の一方側においてサイドドア近傍に格納されるとともに、
前記格納手段は、巻き上げ用回転軸（40）を有し、
ハンドルにより巻き上げ用回転軸を回動操作することで、前記巻き上げワイヤの伸長を調整可能してスペアタイヤの自重に抗して該スペアタイヤを巻き上げるウインチ装置を備え、
該ウインチ装置は、前記サイドドア近傍で、車室内からのハンドルによる巻き上げ用回転軸の回動操作が可能となるように、該ウインチ装置の巻き上げ用回転軸が上下方向に延設し、該ウインチ装置の上端がフロアパネルのサイドドア近傍に位置して、スペアタイヤの脱着動作が車室内から可能になっているとともに
前記フロアパネルには、前側シート（27）と、後側シート（28）が設けられており、前記ウインチ装置をハンドルにより操作する際は、該前側シートと後側シートとの間で、該操作を行うための作業空間を確保すべく、それぞれ前後方向にスライド移動可能に構成されることを特徴とするスペアタイヤ格納構造が提供される。
【０００６】
好ましい態様では、スペアタイヤより車両横方向の他方側には、エンジンから後方に延びる排気管が設けられるとともに、ウインチ装置は、排気管よりも車両横方向のサイドドア側に設置される。
別の態様では、スペアタイヤより車両横方向の他方側には、燃料タンクが設けられるとともに、ウインチ装置は、燃料タンクよりも車両横方向のサイドドア側に設置される。
さらに別の態様では、前記ウインチ装置から前記保持部に向かって延びるワイヤは、該ウインチ装置から略水平に沿って延びるとともに、平面視で該ウインチ装置から離間した位置で保持部に向かって垂下することを特徴とするスペアタイヤの格納構造。
また、前記フロアパネルの前記サイドドア側には前後方向に延設するサイドフレームが設けられており、スペアタイヤはその一部がサイドフレームより車両横方向において車外側に位置するように保持されるようにしてもよい。
さらに、好ましい態様では、前記フロアパネルの前記サイドドア側には前後方向に延設するサイドフレームが設けられており、ウインチ装置は、サイドフレームより車両横方向内側に位置するように設置される。
【０００７】
また、好ましくは、前記スペアタイヤは車体の横方向に関し運転席が配置される側の側面から取り出し可能に格納されるようになっている。
別の好ましい態様では、前記格納手段は、スペアタイヤを引き寄せるための巻き上げワイヤを備えており、
前記ワイヤの長さと前記スペアタイヤ格納位置が、前記ワイヤの最大延長状態において前記車体の一方の側からスペアタイヤの先端が突出する状態となる一方、前記ワイヤの先端部分が解放状態で後輪のドライブシャフトと干渉することがないように設定されている。
この場合、前記スペアタイヤをテンポラリサイズとすることができる。
【０００８】
さらに、前記格納手段は、スペアタイヤを引き寄せるための巻き上げワイヤを備えており、
車両横方向に関し前記スペアタイヤは格納位置は燃料タンクに並んで配置されており、該燃料タンクとスペアタイヤとの間には車体前後方向に延びる遮蔽部材が配置されていることが望ましい。
この場合、前記遮蔽部材はエンジンから後方にのびる排気管であり、前記排気管は、水平方向にみてスペアタイヤおよび燃料タンクとオーバーラップする位置関係で両者の間を前後方向に延びていることが望ましい。
また、別の好ましい態様では、前記格納手段は、スペアタイヤを引き寄せるための巻き上げワイヤを備えており、
車体横方向に関し格納されたスペアタイヤと並んで前記フロア下面側に燃料タンクが配置され、該燃料タンクの後端は、前記格納状態にあるスペアタイヤの後端とほぼ一致していることが望ましい。
【０００９】
前記巻き上げワイヤは、その最大伸張状態でスペアタイヤが後方に最大限移動した場合であっても後輪あるいは後輪用ディファレンシャルに干渉することがない長さに設定されていることを特徴とするスペアタイヤの格納構造。
【００１０】
この場合、前記格納手段の操作部には、前記フロア面と面一の面を構成するためのカバーが設けられるのが好ましい。
また、好ましい態様では、前記ウインチ装置は、平面視で上記保持部より離間した位置に配置されるようになっている。
さらに、前記ウインチ装置による巻き上げ動作は、ハンドルを前記ウインチ装置に係合させて行うとともに、ハンドルと前記ウインチ装置との係合はスペアタイヤの巻き上げが完了しないかぎりできないように構成される。
前記格納手段は、スペアタイヤを巻き上げるためのワイヤと、該ワイヤの先端に取り付けられスペアタイヤを保持する保持部と、
記操作部と前記保持部とを隔離した状態で一体に固定するベース体と、
を備えており、
前記ベース体がフレーム部材を介してフロア下面に固定されている。
この場合、好ましくは、前記フロア下面とベース体との間の空間に前記ワイヤが収容されている。
本発明のさらに別の特徴によれば、スペアタイヤを車両のホイールベース間に格納する構造であって、
所定の長さを有するワイヤを巻き上げることによって前記スペアタイヤを所定位置に格納するウインチ装置と、
車室内に設けられ前記ワイヤの巻き上げ完了状態を検出する検出手段を備えたことを特徴とするスペアタイヤの格納構造が提供される。
【００１１】
この場合、前記ワイヤの巻き上げを行うハンドルのウインチ装置の操作部への脱着がワイヤの巻き上げ完了状態においてのみ可能になっているのが望ましい。
本発明の好ましい態様によれば、ワイヤの巻き上げ完了状態が検出されたときに車両の走行を許容するようになっている。
この場合、前記巻き上げ完了状態を表示する表示手段を設けるのが好ましい。
さらに、前記巻き取り完了状態を前記ワイヤの張力に基づいて検出することができる。
好ましくは、前記操作部を覆うキャップが設けられる。
本発明のスペアタイヤの格納構造によれば、スペアタイヤは、車体の側方から取り出されるようになっている。本発明では、スペアタイヤの取り出し作業を極力短時間で行うことができるように、ワンタッチ操作によってスペアタイヤをその格納構造から解放できるように構成している。スペアタイヤの取り出し作業の作業条件は良好でないのが通常である。したがって、スペアタイヤの取り出し作業に要する時間は短い方がよい。この観点では、本発明のようにワンタッチ操作によってスペアタイヤを解放できるようにしたことによって、スペアタイヤの取り出し作業を短縮することができ、安全性を向上させることができる。
【００１２】
また、別の態様では、スペアタイヤを保持するためのワイヤの巻き上げ完了を車室において確認できるように構成しているので、安全確認が容易である。
またスペアタイヤの格納構造は、サイドドアが設けられる側から取り出しを行うようになっているので、ドア開口を利用して作業者が容易に車室内に出入りすることができ、スペアタイヤの取り出しあるいは、格納作業がしやすくなる。特に本発明では、ワイヤの操作を車室内から行うことができるようになっており、作業が効率的となる。スペアタイヤ格納構造は、好ましくは、運転席側に設けられる。運転席から降りてタイヤの交換作業を行う場合が一般的であると考えられ、便宜である。
さらに、本発明では、巻き上げワイヤを所定の長さに形成したので、巻き上げ作業が適正の行われていない場合であっても、他の部品との干渉等の問題を解消することができる。また、スペアタイヤ格納構造と並列して配置される燃料タンクとの間に排気管を配置するようにしたので、スペアタイヤが移動して燃料タンクに干渉するといった問題は生じない。
【発明の効果】
【００１３】
本発明によれば、比較的簡単な構成で、スペアタイヤ格納装置を構成することができるとともに、スペアタイヤの脱着動作を行った場合においてスペアタイヤ格納装置の復旧の確認が容易であるという効果がある。
【実施例】
【００１４】
以下、本発明を実施例に基づいて説明する。
図１を参照すると本発明の１実施例にかかるスペアタイヤ格納装置１の全体制御ブロックダイヤグラムが示されている。
本例のスペアタイヤ格納装置１は、スペアタイヤ２を巻き上げるウインチ装置３を中心として構成される。ウインチ装置３は、スペアタイヤ２に係合する巻き上げワイヤ４と、ウインチ装置３の巻き上げ機構に脱着自在に設けられるハンドル３ａとを備えている。ウインチ装置３はこれを制御するためのウインチ制御装置５を備えており、該ウインチ制御装置５はスペアタイヤの格納状態を表示するための表示装置６を備えている。ウインチ装置３の作動状態は該表示装置６に表示されるようになっている。ウインチ制御装置６は、ウインチ装置３を解放するためのリリーススイッチ７に接続されるともに、自動変速機制御装置８およびエンジン制御装置９にもそれぞれ接続されている。ウインチ装置３からはスペアタイヤを巻き上げてロックを行った場合には、ロック信号が発生し、この信号はウインチ制御装置５に入力される。この場合ウインチ装置３からはワイヤ４の張力あるいは巻き上げ量が入力される。ウインチ制御装置は、リリーススイッチ７が操作されたとき、リリース信号をウインチ装置に出力し、ワイヤ４をゆるめてスペアタイヤ２を解放する。
【００１５】
図２は本発明のスペアタイヤ格納装置１を備えることができる車両の床下部分の平面図を示す。また図３は、該車両の車室内および床下の状態を示す立面図である。図２および図３を参照すると、前輪１０間には、エンジン１１が配置されるとともに該エンジン１１の後端からは車両の中央部をプロペラシャフト１２が後方に延びている。プロペラシャフト１２の後端は、後輪１３のデファレンシャル装置１４に接続されている。デファレンシャル装置１４は、エンジン１１からプロペラシャフト１２に伝達されたエンジン動力を分配し、後輪アクスル１５を介して後輪１３に伝達するようになっている。車両の側部には、前後方向に延びる一対のサイドフレーム１６が設けられる。
そして、前後輪１０のホイールベース間には、一方の側部に近接してスペアタイヤ格納装置１が設けられるとともに、前後方向に関してほぼ並んだ位置において、他方の側部には、燃料タンク１７が配置される。この配置では、スペアタイヤ格納装置１と燃料タンク１７との間をプロペラシャフト１２が前後方向に延びる関係になっている。この場合プロペラシャフト１２はほぼ真っ直ぐに後方に延びている。エンジン１１の後端からはさらに排気管２０が延びており、該排気管は、平面視において、エンジン１１の後端の結合部からわずかに外方かつ後方にのび、その後、スペアタイヤ格納装置１の手前でスペアタイヤ２の外周に沿って内方に湾曲してスペアタイヤ格納装置１を過ぎた位置において再び外方に湾曲する。その後、平面視において後方に略真っ直ぐ延びる、後輪用デファレンシャル１４の付近で外方かつ後方に斜めに延び、右後輪１３の後方でほぼ後方延びるマフラーを備えその後、排気管２０は後方に向けて開放されている。
【００１６】
この配管の状態を図３の立面図で見ると、排気管２０は、スペアタイヤ格納装置１の側部まではエンジン１１との接続部からほぼ水平に後方に延びる。そして、スペアタイヤ２の側部付近において、スペアタイヤ２の外周に沿って外方に湾曲して延びるスペアタイヤ格納装置１の後端側の位置において、上方に延び後輪１３のアクスル１５を過ぎた位置において下方に延び後輪の後端側の位置においてわずかに上方に湾曲してその後水平後方に延びてマフラー２１に接続されている。すなわち、本例の構造では、燃料タンク１７とスペアタイヤ格納装置１との間には、排気管２０およびプロペラシャフト１１が介在することになる。
サイドフレーム１６の前端は、エンジンルームの前端部のバンパーのすぐ後方に位置しており、この位置からほぼやや内方にかつ後方に延びて降り、前輪の後端側において最も接近しその後はわずかに外方にかつ後方に延びるそして、スペアタイヤ格納装置の後端部の位置において真っ直ぐ後方の延びるように位置している。そして、後輪の前方においてやや内側に屈折し後輪の内側の位置を通り、後輪の後端側の位置において、わずかに外方の屈折して延び、その後後輪の後方位置において後方に向けて真っ直ぐ延びている。一対のサイドフレーム１６間は横方向に延びる複数のクロスメンバー１８によって結合されている。
【００１７】
図３を参照してサイドフレーム１６の上下方向の形状に関して説明する。
サイドフレーム１６の前端は、上記したように、バンパー２２の後部に位置するレベルであり、その位置からほぼ水平方向真っ直ぐ後方に延びる。そして、前輪をほぼ過ぎた位置において下方に湾曲し、前輪の後方位置において再び水平方向に延びる。その後は、ほぼそのレベルを保った状態で真っ直ぐ後方に延びている。このサイドフレーム１６の上方には、フロアーパネル２３が配設され、上部車体２４との間で車室２５を構成する。車室２５の前端はカウルパネル２６で仕切られている。車室２５には、前後方向に三列のシート列２７、２８、２９が設けられる。そして、前部シート２７および中央シート２８の間にスペアタイヤ格納装置１のウインチ装置３の操作部が位置しており、該ウインチ装置３の操作部には、車室側からハンドル３ａが操作可能に装着されるようになっている。
【００１８】
本例の構造では、前部シート２７および中央シート２８はそれぞれ所定距離だけ前後方向にスライド移動させることができるようになっており、これによってウインチ装置３のハンドル３ａの操作時にシートが邪魔にならないように、所定の作業空間を確保することができるようになっている。そして、スペアタイヤ２を水平方向に車両の床下面側に近接して格納するようになっている。本例の車両では、右側の前部シート２７が運転席であり、これに対応した位置に運転ハンドル３０が設けられる。そして、運転席２７の後方位置のフロア面下側にスペアタイヤ格納空間が設けられる。
前部シート２７の両側にフロントドア３１が設けられるとともに、少なくとも運転席側の側部にサイドドア３２が設けられる。本例のスペアタイヤ格納装置１は、サイドドア３１のステップの位置に対応するフロア面２３の下部に設けられる。
【００１９】
図４および図５を参照すると、本例のスペアタイヤ格納装置はフロアパネル２３の下方にほぼ平行に水平に延びるベースプレート３３を備えている。ベースプレート３３、フロアパネル２３下面に取り付けられたチャンネル型ブラケット３４、３５を介してフロアパネル２３に固定されている。該ベースプレート３３とフロアパネル２３との間の空間には、ウインチ装置３の巻き取り部が配置され、該巻き上げ部置の上端側は、フロアパネル２３を貫通して車室側に臨むようになっている。そして巻き取り部からワイヤ４が上記ベースプレート３３とフロアパネル２３との間の空間を該ベースプレート３３およびフロアパネル２３に対して平行に延び、巻き取り部から離れている。そして、ワイヤ４はベースプレート３３の上面側に取り付けられたガイド管３６に通され、ベースプレート３３を貫通して下側に延びている。そして、ワイヤ４の先端に、上記巻き取り部から隔置した位置においてスペアタイヤ２に係合して格納状態で保持する保持体３７が取り付けられている。上記保持体３７は、ベースプレート３３に設けられたワイヤ４の貫通穴３８から垂下している。図５に示すようにベースプレート３３には、ワイヤ４が巻き上げられて、スペアタイヤ２が格納状態になったときスペアタイヤ２のホイール部分２ａに当接する当接部が設けられている。この当接部によってベースプレート３３と保持体３７との間でスペアタイヤ２を保持するようになっている。
【００２０】
図６、図７および図８を参照すると、本例のウインチ装置３の詳細が示されている。ウインチ装置３は、巻き上げ用の回転軸４０と該回転軸４０に取り付けられた巻き上げ用外歯ギヤ４１と、これに遊嵌し、ワイヤ４の巻き取り部と一体になった内歯ギヤ４２とを備えている。これらのギヤ４１、４２は、ギヤケース４３内に収容されており、内歯ギヤ４１は、外歯ギヤ４２との噛合を保証するためにギヤケース４３に取り付けられたバネ４４によって付勢されている。
なお、ウインチ装置３のクイックリリースを可能にするために回転軸４０には、ラチェット機構が設けられている。なおギヤケース４３には、これをフロアパネル２３あるいは、その他の固定部材に取り付けるための固定ブラケット４６が設けられている。回転軸４０の凹部４０ａにハンドル３ａの係合部が係合するようになっている。このそして、両者には、公知のスナップ係合機構４５が設けられている。
【００２１】
保持体３７は、スペアタイヤ２のホイールの中央開口部の周囲に係合するとともにワイヤ４を貫通させる口金４７を備えた細長い形状の上部支持板４８とワイヤ４の先端に結合された円盤状の下部支持板４９とを備えている。この上部および下部支持板との間には、コイルスプリング５０が伸縮自在に配置されている。図９に示すようにウインチ装置３が巻き上げられると、保持体３７に係合したスペアタイヤ２がワイヤ４に引きずられてベースプレート３３の開口部３３ａの方に引き寄せられる。そして、その後ワイヤ４が巻き上げられると上部支持板４８が当接し、さらにワイヤ４の巻き上げが進むと、コイルスプリング５０が収縮してバネ力によってスペアタイヤ２のホイールの下側が上方に押し上げられてスペアタイヤ２は弾性的にベースプレート３３との間に保持されて、格納される。ワイヤ４の長さは、ノーマルタイヤ２ａを収容する場合には、680 mm程度（図１０において短いワイヤの場合）であり、テンポラリタイヤ２ｂの場合には、これよりわずかに長く760 mm程度（図１０において長いワイヤの場合）とすることができる。なお、図１０には、ワイヤの最大伸長状態においてスペアタイヤ２が保持体３７に係合状態になっているときのスペアタイヤ３の移動可能範囲が示されている。図示のように、スペアタイヤ２は、後方に最大限移動した場合であっても後輪あるいは後輪用のデファレンシャル１４に干渉することはない。また、車体の横方向に関しては、スペアタイヤ２は、車両の側部から外に完全に出た状態をとることができるようになっているので、スペアタイヤ２の脱着作業が容易となる。
【００２２】
次に図１１を参照して、本発明のスペアタイヤ格納装置１の制御について説明する。
上記したように、本発明のスペアタイヤ格納装置１のウインチ装置３の制御を行うために、ウインチ制御装置５が設けられている。
ウインチ制御装置５は、スペアタイヤ格納装置１のスペアタイヤ解放動作に関しては、リリーススイッチ７からの信号およびウインチ装置３のワイヤの長さを検出するための公知の技術にかかるセンサからの信号を読み込んで（ステップＳ１）、リリーススイッチ７が操作されたかどうかを検出する（ステップＳ２）。また、スペアタイヤ２の巻き上げ操作については、ウインチ信号すなわち巻き上げ信号を検出する（ステップＳ１）。解放動作においては、スペアタイヤ２のリリース動作を行うべくリリーススイッチ７が押されたことを検出した場合には、リリース信号を発生し（ステップＳ３）、ウインチ装置３のラチェット装置のロックを解放して、ワイヤ４のクイックリリースを行う。一方、巻き上げ動作においては、センサによりワイヤ４に設けられた所定のマークにより、ワイヤ４の巻き上げ量を検出しており、ワイヤの巻き上げ量が所定量に達したかどうかを判断し、巻き上げ量が所定量に達した場合および操作力が所定の力例えば、１０Ｎｍを超えた場合には、パワートレインの作動を許可する（ステップＳ４〜Ｓ７）。一方、ワイヤ巻き上げ量、操作力のいずれかが所定値に達していない場合には、ロック信号を解除し（ステップＳ８）、あるいはパワートレインの動作を禁止し（ステップＳ９）巻き上げ量を表示して（ステップＳ１０）、操作を反復する。これによってロック信号が発生しない限り、パワートレインの動作は行われないので、スペアタイヤ格納装置１がワイヤ４を所定の位置まで巻き上げられていない状態では、車両の発進は行われない。したがって、車両の安全性を高めることができる。
【００２３】
たとえば、ウインチ装置３のハンドル３ａが所定位置まで巻き上げない限り、ハンドル３ａとウインチ装置３との係合が解除できないように構成してもよい。すなわち、ハンドル３ａがウインチ装置３に装着された状態では、まだスペアタイヤ２の脱着作業が完了していないことが判明する。そして、ハンドル３ａを用いた巻き上げ操作は車室内で行われるので、運転者は、ハンドル３ａがウインチ装置３に装着された状態にあるかどうかを車外にでることなく確認することができる。この構成は、電気的な設備を搭載することなく、スペアタイヤ格納装置１が所定の位置に配置されていることを容易に確認できるという点で有利である。
また、図１２に示すようにフロワの車室側のハンドルの取り付け部を覆うキャップ５１を設け該キャップの色を識別しやすい目立つ色にしておくことにより、キャップ５１の有無によってスペアタイヤ２の格納装置が所定の状態になっているかどうかを確認するようにしてもよい。
【図面の簡単な説明】
【００２４】
【図１】本発明の１実施例にかかるスペアタイヤ格納装置の制御系統を示すブロック図、
【図２】本発明を適用することができる車両の床下のレイアウトを示す平面図、
【図３】図２の車両の車室内部および車体下部の状態を示す立面図、
【図４】本発明のスペアタイヤ格納装置に用いられるウインチ装置の平面図、
【図５】図４のウインチ装置のＡ−Ａ断面図、
【図６】ウインチ装置の回転ギヤを示す平面図、
【図７】ウインチ装置のワイヤの状態および保持部の断面を示す図、
【図８】図７のＢ−Ｂ断面図、
【図９】スペアタイヤの解放および格納状態を示す概略断面図、
【図１０】スペアタイヤの移動範囲を示す説明図、
【図１１】ウインチ装置の制御の１例を示すフローチャート、
【図１２】巻き上げ装置のキャップの説明図である。
【符号の説明】
【００２５】
１  スペアタイヤ格納装置
２  スペアタイヤ
３  ウインチ装置
４  巻き上げワイヤ
３ａ  ハンドル
５  ウインチ制御装置
６  該表示装置
７  リリーススイッチ
８  自動変速機制御装置
９  エンジン制御装置
１０  前輪
１１  エンジン
１２  プロペラシャフト
１３  後輪
１４  デファレンシャル装置
１５  後輪アクスル
１６  サイドフレーム
１７  燃料タンク
１８  排気管
２３  フロアパネル
３３  ベースプレート
３７  保持体。
【図１】
2008213838.tif 000003
【図２】
2008213838.tif 000004
【図３】
2008213838.tif 000005
【図４】
2008213838.tif 000006
【図５】
2008213838.tif 000007
【図６】
2008213838.tif 000008
【図７】
2008213838.tif 000009
【図８】
2008213838.tif 000010
【図９】
2008213838.tif 000011
【図１０】
2008213838.tif 000012
【図１１】
2008213838.tif 000013
【図１２】
2008213838.tif 000014